(57)【要約】【課題】第１嵌合部および第２嵌合部の位置が垂木の位置に対して横方向にずれることを抑制することができる、屋根材の接続構造および屋根材を提供する。【解決手段】屋根材の接続構造１０は、第１屋根材１２ａを構成する第１屋根板部１４ａと一体に形成された第１嵌合部１６と、第２屋根材１２ｂを構成する第２屋根板部１４ｂと一体に形成された第２嵌合部１８とを備えている。第１嵌合部１６は、第１壁部２０と、第２壁部２２と、これらの下端部どうしを繋ぐ繋ぎ部２４とを有している。これにより、第１嵌合部１６は、上方に向けて開かれた断面Ｕ字状に形成されている。第２嵌合部１８は、第１嵌合部１６の第１壁部２０および第２壁部２２を受け入れるように、下方に向けて開かれた断面逆Ｕ字状に形成されている。第１嵌合部１６の繋ぎ部２４は、固定部３４を有しており、この固定部３４がビス等の固定具３２を介して垂木３０ａ等の固定対象物３０に固定される。【選択図】図１
0003226712.tif 000002
【実用新案登録請求の範囲】
【請求項１】
第１屋根材を構成する第１屋根板部の幅方向側縁に沿って前記第１屋根板部と一体に形成された第１嵌合部と、
第２屋根材を構成する第２屋根板部の幅方向側縁に沿って前記第２屋根板部と一体に形成され、前記第１嵌合部に嵌合される第２嵌合部とを備え、
前記第１嵌合部は、前記第１屋根板部の上面から上方に突出する第１壁部と、前記第１壁部から離間して設けられた第２壁部と、これらの下端部どうしを繋ぐ繋ぎ部とを有して、上方に向けて開かれた断面Ｕ字状に形成されており、
前記第２嵌合部は、前記第１壁部および前記第２壁部を受け入れるように、下方に向けて開かれた断面逆Ｕ字状に形成されており、
前記繋ぎ部は、固定具を介して固定対象物に固定される固定部を有している、屋根材の接続構造。
【請求項２】
前記第１壁部は、前記第１屋根板部の幅方向側縁から上方に延びる第１板部と、前記第１板部の上端部から下方に延びる第２板部とを有しており、
前記第２板部の下端部と前記第２壁部とが前記繋ぎ部を介して繋がっている、請求項１に記載の屋根材の接続構造。
【請求項３】
前記第１壁部の上下方向長さは、前記第２壁部の上下方向長さよりも長くされている、請求項２に記載の屋根材の接続構造。
【請求項４】
前記第２嵌合部の上部は、断面円弧状となるように湾曲して形成されている、請求項１ないし３のいずれか１項に記載の屋根材の接続構造。
【請求項５】
前記第１嵌合部の上部には、前記第１壁部の外側面と前記第２壁部の外側面との間隔が上方に向かうにつれて狭くなるようにテーパ部が設けられている、請求項１ないし４のいずれか１項に記載の屋根材の接続構造。
【請求項６】
前記固定具は、前記固定部を貫通する軸部と、前記軸部の一方端部に設けられて前記固定部の上面に押し当てられる頭部とを有しており、
前記固定部は、前記繋ぎ部の上面から上方に突出して前記第１屋根板部の側縁に沿って互いに平行に延びる２つの突条を有しており、
２つの前記突条の間隔は、前記軸部の直径よりも僅かに広くなるように定められている、請求項１ないし５のいずれか１項に記載の屋根材の接続構造。
【請求項７】
前記第１壁部の上部と前記第２嵌合部との間には、毛細管現象による水の浸入を遮断する遮水空間が設けられている、請求項１ないし６のいずれか１項に記載の屋根材の接続構造。
【請求項８】
前記第１屋根板部の幅方向における前記第１嵌合部の外側の側端縁は、前記第２嵌合部の内部空間に配置されており、
前記第２屋根板部の幅方向における前記第２嵌合部の外側の側端縁は、前記第１嵌合部の外側において前記第１壁部の基部に沿って配置されている、請求項１ないし７のいずれか１項に記載の屋根材の接続構造。
【請求項９】
板状の屋根板部と、
前記屋根板部の幅方向一方側縁に沿って前記屋根板部と一体に形成された第１嵌合部と、
前記屋根板部の幅方向他方側縁に沿って前記屋根板部と一体に形成され、前記第１嵌合部に嵌合可能な形状に形成された第２嵌合部とを備え、
前記第１嵌合部は、前記屋根板部の上面から上方に突出する第１壁部と、前記第１壁部から離間して設けられた第２壁部と、これらの下端部どうしを繋ぐ繋ぎ部とを有して、上方に向けて開かれた断面Ｕ字状に形成されており、
前記第２嵌合部は、前記第１壁部および前記第２壁部を受け入れ可能な大きさで下方に向けて開かれた断面逆Ｕ字状に形成されており、
前記繋ぎ部は、固定具を介して固定対象物に固定される固定部を有している、屋根材。
【考案の詳細な説明】
【技術分野】
【０００１】
本考案は、建物の屋根を構成する２つの屋根材を互いに接続するための屋根材の接続構造および屋根材に関する。
【背景技術】
【０００２】
従来の屋根材の一例が特許文献１に記載されている。この屋根材は、板状の本体部と、本体部の一方の側縁に形成された第１凸部と、本体部の他方の側縁に形成された第２凸部とを備えている。また、本体部の一方の側縁における第１凸部よりも外側には、屋根材を固定対象物に固定するための板状の固定部が設けられている。２つの屋根材を互いに接続するとき、作業者は、まず、一方の屋根材の固定部をビスなどの固定具を用いて固定対象物（例えば、垂木および野地板等）に固定し、その後、一方の屋根材の第１凸部に他方の屋根材の第２凸部を上方から嵌合していた。
【先行技術文献】
【特許文献】
【０００３】
【特許文献１】実用新案登録第２５０５２３９号
【０００４】
しかしながら、特許文献１に記載された屋根材では、固定部が本体部の一方の側縁における第１凸部よりも外側に設けられていたので、固定部を固定対象物としての垂木に固定したときには、第１凸部および第２凸部の位置が垂木の位置に対して横方向（上下方向に対して直交する方向）にずれることになり、第１凸部および第２凸部の安定性が低いとともに外観上の見栄えもよくないという問題があった。
【考案の概要】
【０００５】
本考案は上記問題に対処するためになされたものであり、第１嵌合部および第２嵌合部の位置が垂木の位置に対して横方向にずれることを抑制することができる、屋根材の接続構造および屋根材を提供することを目的とする。
【０００６】
上記目的を達成するため、本考案に係る屋根材の接続構造の特徴は、第１屋根材を構成する第１屋根板部の幅方向側縁に沿って前記第１屋根板部と一体に形成された第１嵌合部と、第２屋根材を構成する第２屋根板部の幅方向側縁に沿って前記第２屋根板部と一体に形成され、前記第１嵌合部に嵌合される第２嵌合部とを備え、前記第１嵌合部は、前記第１屋根板部の上面から上方に突出する第１壁部と、前記第１壁部から離間して設けられた第２壁部と、これらの下端部どうしを繋ぐ繋ぎ部とを有して、上方に向けて開かれた断面Ｕ字状に形成されており、前記第２嵌合部は、前記第１壁部および前記第２壁部を受け入れるように、下方に向けて開かれた断面逆Ｕ字状に形成されており、前記繋ぎ部は、固定具を介して固定対象物に固定される固定部を有していることにある。
【０００７】
この構成では、第１嵌合部の繋ぎ部に固定部が設けられているので、固定部を垂木に固定するときには、第１嵌合部および第２嵌合部の位置が垂木の位置に対して横方向にずれることを抑制することができる。これにより、見栄えをよくすることができるとともに、第１嵌合部および第２嵌合部を垂木によって強固に支持することができる。また、第１嵌合部が、第１壁部と第２壁部と繋ぎ部とを有するＵ字状に形成されており、繋ぎ部は、固定具を介して固定対象物に固定される固定部を有している。つまり、固定部は、第１嵌合部の幅方向中央部に設けられている。したがって、固定部を固定対象物に固定した状態では、第１壁部、第２壁部および繋ぎ部の変形を抑制することができ、屋根材どうしを接続する接続作業の作業効率をよくすることができる。
【０００８】
本考案に係る屋根材の接続構造の他の特徴は、前記第１壁部は、前記第１屋根板部の幅方向側縁から上方に延びる第１板部と、前記第１板部の上端部から下方に延びる第２板部とを有しており、前記第２板部の下端部と前記第２壁部とが前記繋ぎ部を介して繋がっていることにある。
【０００９】
この構成では、第１壁部が第１板部と第２板部とで二重壁構造に構成されている。また、第１板部は第１屋根板部で支持されており、第２板部は繋ぎ部で支持されている。したがって、第１壁部の変形を効果的に抑制でき、屋根材どうしを接続する接続作業の作業効率をよくすることができる。
【００１０】
本考案に係る屋根材の接続構造の他の特徴は、前記第１壁部の上下方向長さは、前記第２壁部の上下方向長さよりも長くされていることにある。
【００１１】
この構成では、第１壁部の上下方向長さが第２壁部の上下方向長さよりも長くされているので、第２嵌合部を第１嵌合部に嵌合する際には、第２壁部よりも先に第１壁部を第２嵌合部のガイドとして用いることができる。したがって、第２壁部の変形を抑制できるとともに、屋根材どうしを接続する接続作業の作業効率をよくすることができる。なお、第１壁部は二重壁構造に構成されているので、ガイドとして用いた場合でも変形し難い。
【００１２】
本考案に係る屋根材の接続構造の他の特徴は、前記第２嵌合部の上部は、断面円弧状となるように湾曲して形成されていることにある。
【００１３】
この構成では、第２嵌合部の上部が断面円弧状となるように湾曲して形成されているので、第２嵌合部の上部に押圧力が作用しても第２嵌合部は変形し難い。したがって、第１嵌合部と第２嵌合部とを嵌合させる際には、第２嵌合部の上部に作用する押圧力を第２嵌合部の全体に効率よく伝えることができ、嵌合作業の作業効率をよくすることができる。
【００１４】
本考案に係る屋根材の接続構造の他の特徴は、前記第１嵌合部の上部には、前記第１壁部の外側面と前記第２壁部の外側面との間隔が上方に向かうにつれて狭くなるようにテーパ部が設けられていることにある。
【００１５】
この構成では、第１嵌合部の上部にテーパ部が設けられているので、第１嵌合部と第２嵌合部とを嵌合させる際には、テーパ部が第２嵌合部を案内するガイドとなる。したがって、第１嵌合部と第２嵌合部とを嵌合させ易い。
【００１６】
本考案に係る屋根材の接続構造の他の特徴は、前記固定具は、前記固定部を貫通する軸部と、前記軸部の一方端部に設けられて前記固定部の上面に押し当てられる頭部とを有しており、前記固定部は、前記繋ぎ部の上面から上方に突出して前記第１屋根板部の側縁に沿って互いに平行に延びる２つの突条を有しており、２つの前記突条の間隔は、前記軸部の直径よりも僅かに広くなるように定められていることにある。
【００１７】
この構成では、固定部を固定対象物に固定する際に２つの突条を固定具のガイドとして用いることができるので、固定具が暴れることを抑制でき、固定具を固定部に位置決めし易い。また、２つの突条によって繋ぎ部が補強されているので、繋ぎ部の変形を抑制でき、屋根材どうしを接続する接続作業の作業効率をよくすることができる。
【００１８】
本考案に係る屋根材の接続構造の他の特徴は、前記第１壁部の上部と前記第２嵌合部との間には、毛細管現象による水の浸入を遮断する遮水空間が設けられていることにある。
【００１９】
第１壁部と第２嵌合部との隙間の幅が狭い場合には、毛細管現象によって当該隙間に水が浸入するおそれがあるが、上記構成では、第１壁部の上部と第２嵌合部との間に遮水空間が設けられているので、この遮水空間で水の浸入を遮断することができる。したがって、第１壁部、第２壁部および繋ぎ部で囲まれた内部空間への水の浸入を抑制することができる。
【００２０】
本考案に係る屋根材の接続構造の他の特徴は、前記第１屋根板部の幅方向における前記第１嵌合部の外側の側端縁は、前記第２嵌合部の内部空間に配置されており、前記第２屋根板部の幅方向における前記第２嵌合部の外側の側端縁は、前記第１嵌合部の外側において前記第１壁部の基部に沿って配置されていることにある。
【００２１】
この構成では、第１嵌合部の外側の側端縁は、第２嵌合部の内部空間に配置されており、第２嵌合部の外側の側端縁は、第１嵌合部の外側において第１壁部の基部に沿って配置されている。また、第１嵌合部の固定部は、第１嵌合部の幅方向中央部に設けられている。そのため、第１嵌合部と第２嵌合部とが嵌合した状態において、第２嵌合部は第１屋根材の第１屋根板部に重ならず、第１嵌合部（固定部を含む）は第２屋根材の第２屋根板部に重ならない。したがって、第１屋根板部および第２屋根板部の少なくとも一方に重なる部分が存在する場合（特許文献１、第４図参照）に比べて、材料コストを低減できるとともに、第１屋根材および第２屋根材の少なくとも一方の重量を軽くすることができる。
【００２２】
上記目的を達成するため、本考案に係る屋根材の特徴は、板状の屋根板部と、前記屋根板部の幅方向一方側縁に沿って前記屋根板部と一体に形成された第１嵌合部と、前記屋根板部の幅方向他方側縁に沿って前記屋根板部と一体に形成され、前記第１嵌合部に嵌合可能な形状に形成された第２嵌合部とを備え、前記第１嵌合部は、前記屋根板部の上面から上方に突出する第１壁部と、前記第１壁部から離間して設けられた第２壁部と、これらの下端部どうしを繋ぐ繋ぎ部とを有して、上方に向けて開かれた断面Ｕ字状に形成されており、前記第２嵌合部は、前記第１壁部および前記第２壁部を受け入れ可能な大きさで下方に向けて開かれた断面逆Ｕ字状に形成されており、前記繋ぎ部は、固定具を介して固定対象物に固定される固定部を有していることにある。
【００２３】
この構成では、第１嵌合部の繋ぎ部に固定部が設けられているので、一方の屋根材の固定部を垂木に固定した状態で一方の屋根材の第１嵌合部と他方の屋根材の第２嵌合部とを互いに嵌合するときには、これらの嵌合部の位置が垂木の位置に対して横方向にずれることを抑制することができる。これにより、見栄えをよくすることができるとともに、第１嵌合部および第２嵌合部を垂木によって強固に支持することができる。また、繋ぎ部の固定部が固定具を介して固定対象物に固定されるので、第１壁部、第２壁部および繋ぎ部の変形を抑制することができ、屋根材どうしを接続する接続作業の作業効率をよくすることができる。
【図面の簡単な説明】
【００２４】
【図１】実施形態に係る屋根材の接続構造の構成を示す断面図である。
【図２】図１に示した屋根材の接続構造の要部の構成を示す図であり、（Ａ）は第１嵌合部の構成を示す拡大正面図、（Ｂ）は第２嵌合部の構成を示す拡大正面図である。
【図３】実施形態に係る屋根材の構成を示す図であり、（Ａ）は正面図、（Ｂ）は平面図である。
【図４】図３に示した屋根材の施工方法を示す図である。
【図５】他の実施形態に係る屋根材の接続構造における第１嵌合部の構成を示す拡大正面図である。
【考案を実施するための形態】
【００２５】
以下、本考案に係る屋根材の接続構造および屋根材の実施形態について図面を参照しながら説明する。
【００２６】
図１は、実施形態に係る屋根材の接続構造１０の構成を示す断面図である。図２は、屋根材の接続構造１０の要部の構成を示す図であり、（Ａ）は第１嵌合部１６の構成を示す拡大正面図、（Ｂ）は第２嵌合部１８の構成を示す拡大正面図である。図３は、実施形態に係る屋根材１２の構成を示す図であり、（Ａ）は正面図、（Ｂ）は平面図である。
【００２７】
図１に示す屋根材の接続構造１０は、図３（Ａ），（Ｂ）に示す屋根材１２を２つ並べて互いに接続するものである。本実施形態の２つの屋根材１２は、ほぼ同じ形状および大きさで形成されているが、以下の説明では、これらを区別するために、一方の屋根材１２を「第１屋根材１２ａ」と称し、他方の屋根材１２を「第２屋根材１２ｂ」と称する。
【００２８】
（屋根材１２ａ，１２ｂの構成）
図１に示すように、第１屋根材１２ａは、第１屋根板部１４ａと、第１屋根板部１４ａの幅方向一方側縁に沿って第１屋根板部１４ａと一体に形成された第１嵌合部１６と、第１屋根板部１４ａの幅方向他方側縁に沿って第１屋根板部１４ａと一体に形成された第２嵌合部１８（図示省略）とを備えている。第２屋根材１２ｂは、第２屋根板部１４ｂと、第２屋根板部１４ｂの幅方向一方側縁に沿って第２屋根板部１４ｂと一体に形成された第１嵌合部１６（図示省略）と、第２屋根板部１４ｂの幅方向他方側縁に沿って第２屋根板部１４ｂと一体に形成された第２嵌合部１８とを備えている。なお、図３（Ａ），（Ｂ）では、第１屋根板部１４ａおよび第２屋根板部１４ｂに相当する「屋根板部」に符号「１４」を付している。
【００２９】
本実施形態の第１屋根材１２ａおよび第２屋根材１２ｂは、第１嵌合部１６および第２嵌合部１８にバネ弾性を持たせるために、亜鉛メッキ鋼板、亜鉛アルミニウム合金メッキ鋼板、ステンレス鋼板等の金属板を用いて形成されている。
【００３０】
（屋根材の接続構造１０の構成）
図１に示すように、屋根材の接続構造１０は、第１屋根材１２ａを構成する第１屋根板部１４ａの幅方向側縁に沿って第１屋根板部１４ａと一体に形成された第１嵌合部１６と、第２屋根材１２ｂを構成する第２屋根板部１４ｂの幅方向側縁に沿って第２屋根板部１４ｂと一体に形成された第２嵌合部１８とを備えている。そして、第１屋根材１２ａの第１嵌合部１６と第２屋根材１２ｂの第２嵌合部１８とが互いに嵌合されている。
【００３１】
図２（Ａ）に示すように、第１嵌合部１６は、第１屋根板部１４ａの上面から上方に突出する第１壁部２０と、第１壁部２０から第１屋根板部１４ａの幅方向の外側に離間して設けられた第２壁部２２と、第１壁部２０および第２壁部２２の下端部どうしを繋ぐ繋ぎ部２４とを有している。第１嵌合部１６、すなわち第１壁部２０、第２壁部２２および繋ぎ部２４の全体は、上方に向けて開かれた断面Ｕ字状に形成されている。
【００３２】
第１壁部２０は、第１屋根板部１４ａの幅方向側縁から上方に延びる第１板部２０ａと、第１板部２０ａの上端部から下方に延びる第２板部２０ｂとを有しており、第２板部２０ｂの下端部と第２壁部２２とが繋ぎ部２４を介して繋がっている。つまり、第１壁部２０は、第１板部２０ａと第２板部２０ｂとを有する二重壁構造に構成されており、第１板部２０ａが第１屋根板部１４ａで支持されており、第２板部２０ｂが繋ぎ部２４で支持されている。第２壁部２２は、繋ぎ部２４の幅方向側縁から上方に延びる第１板部２２ａと、第１板部２２ａの上端部から第１板部２２ａの内側を下方に延びる第２板部２２ｂとを有している。第１壁部２０の上下方向長さは、第２壁部２２の上下方向長さよりも長くされている。
【００３３】
第１嵌合部１６の上部には、第１壁部２０の外側面Ｑ１と第２壁部２２の外側面Ｑ２との間隔が上方に向かうにつれて狭くなるようにテーパ部２６が設けられている。また、第１壁部２０および第２壁部２２のそれぞれの上下方向中央部には、第１壁部２０の外側面Ｑ１と第２壁部２２の外側面Ｑ２との間隔を上方に向かって急拡大させるように段部２８ａ，２８ｂが設けられている。本実施形態において、第１壁部２０の段部２８ａは、第１板部２０ａの上下方向中央部がそれよりも下方の部分に対して外側へ折り曲げられることによって構成されており、第２壁部２２の段部２８ｂは、第１板部２２ａの上下方向中央部がそれよりも下方の部分に対して外側へ折り曲げられることによって構成されている。
【００３４】
図１に示すように、繋ぎ部２４は、固定対象物３０の表面に沿って配置される細長い板状の部分であり、繋ぎ部２４の幅方向中央部に設けられた固定部３４を有している。固定部３４は、固定具３２を介して固定対象物３０に固定される部分である。固定部３４は、繋ぎ部２４の上面から上方に突出して第１屋根板部１４ａの側縁に沿って互いに平行に延びる２つの突条３６ａ，３６ｂを有している。
【００３５】
ここで、固定対象物３０は、建物の屋根を構成する部材であり、本実施形態では、垂木３０ａおよび野地板３０ｂが固定対象物３０として用いられている。固定具３２は、固定部３４を貫通する軸部３２ａと、軸部３２ａの一方端部に設けられた頭部３２ｂとを有する部材であり、本実施形態では、ビスが固定具３２として用いられている。
【００３６】
固定部３４の２つの突条３６ａ，３６ｂの間隔は、固定具３２の軸部３２ａの直径よりも僅かに広くなるように定められている。固定具３２を用いて固定部３４を固定対象物３０に固定するとき、固定具３２の頭部３２ｂは、２つの突条３６ａ，３６ｂの上面に押し当てられる。
【００３７】
図１に示すように、第２嵌合部１８は、第１嵌合部１６の第１壁部２０および第２壁部２２を受け入れ可能な大きさで下方に向けて開かれた断面逆Ｕ字状に形成されている。第２嵌合部１８の上部は、断面円弧状となるように湾曲して形成されている。また、図２（Ｂ）に示すように、第２嵌合部１８の上下方向中央部よりもやや下方に位置する部分には、図２（Ａ）に示す第１嵌合部１６の段部２８ａ，２８ｂに下方から引っ掛かる段部３８ａ，３８ｂが形成されている。第２嵌合部１８の幅は、段部３８ａ，３８ｂにおいて上方に向かって急拡大されている。
【００３８】
図１に示すように、第１嵌合部１６と第２嵌合部１８とが嵌合された状態において、第１嵌合部１６を構成する第１壁部２０の上部と第２嵌合部１８との間には、毛細管現象による水の浸入を遮断する遮水空間Ｓ１が構成されている。また、第１屋根板部１４ａの幅方向における第１嵌合部１６の外側の側端縁１６ａは、第２嵌合部１８の内部空間Ｓ２に配置されており、第２屋根板部１４ｂの幅方向における第２嵌合部１８の外側の側端縁１８ａは、第１嵌合部１６の外側において第１壁部２０の基部に沿って配置されている。
【００３９】
なお、本実施形態においては、第１嵌合部１６の幅が約２０ｍｍ、高さが約２４ｍｍに形成されている。また、第２嵌合部１８の幅が約２１ｍｍ、高さが約３０ｍｍに形成さている。また、第１嵌合部１６の中心と第２嵌合部１８の中心との距離（ピッチ）である働き幅は、約３６０ｍｍに形成されている。また、屋根板部１４の長さ（図３（Ｂ）の図示上下方向の長さ）は、４００ｍｍ〜１８０００ｍｍの範囲で適宜設定されている。これらの第１嵌合部１６、第２嵌合部１８および屋根板部１４の各寸法は、施工対象物によって適宜設定されることは当然である。
【００４０】
（屋根材１２ａ，１２ｂの施工方法）
図４は、屋根材１２ａ，１２ｂの施工方法を示す図である。図４に示すように、第１屋根材１２ａおよび第２屋根材１２ｂを施工する際には、まず、作業者は、第１屋根材１２ａを野地板３０ｂの上面に配置し、第１屋根材１２ａの第１嵌合部１６を垂木３０ａの上方に位置決めする。続いて、作業者は、固定具３２を用いて固定部３４を固定対象物３０（垂木３０ａおよび野地板３０ｂ）に固定する。このとき、作業者は、固定具３２の軸部３２ａを固定部３４に貫通させた後、これを固定対象物３０にねじ込み、固定具３２の頭部３２ｂを固定部３４の２つの突条３６ａ，３６ｂの上面に押し当てる。
【００４１】
固定対象物３０に対する固定部３４の固定作業が完了すると、作業者は、第２屋根材１２ｂを野地板３０ｂの上面に配置するとともに、第２屋根材１２ｂの第２嵌合部１８を第１屋根材１２ａの第１嵌合部１６に上方から嵌合させる。この嵌合作業において、作業者は、まず、図４中の二点鎖線で示すように、第１壁部２０をガイドとして用いて第２嵌合部１８を位置決めする。続いて、第１壁部２０および第２壁部２２の両方をガイドとして用いて第２嵌合部１８をさらに位置決めする。その後、第２嵌合部１８を足で踏むことによって、これを第１嵌合部１６に嵌合させる。
【００４２】
（屋根材の接続構造１０の効果）
本実施形態によれば、上記構成により以下の各効果を奏することができる。すなわち、図１に示すように、第１嵌合部１６の繋ぎ部２４に固定部３４が設けられているので、固定部３４を垂木３０ａに固定するときには、第１嵌合部１６および第２嵌合部１８の位置が垂木３０ａの位置に対して横方向にずれることを抑制することができる。これにより、見栄えをよくすることができるとともに、第１嵌合部１６および第２嵌合部１８を垂木３０ａによって強固に支持することができる。また、固定部３４は、第１嵌合部１６の幅方向中央部に設けられているので、固定部３４を固定対象物３０に固定した状態では、第１壁部２０、第２壁部２２および繋ぎ部２４の変形を抑制することができ、第１屋根材１２ａと第２屋根材１２ｂとを接続する接続作業の作業効率をよくすることができる。
【００４３】
図２（Ａ）に示すように、本実施形態では、第１壁部２０が第１板部２０ａと第２板部２０ｂとで二重壁構造に構成されている。また、第１板部２０ａは第１屋根板部１４ａで支持されており、第２板部２０ｂは繋ぎ部２４で支持されている。したがって、第１壁部２０の変形を効果的に抑制でき、上記接続作業の作業効率をよくすることができる。
【００４４】
図４に示すように、第１壁部２０の上下方向長さが第２壁部２２の上下方向長さよりも長くされているので、第２嵌合部１８を第１嵌合部１６に嵌合する際には、第２壁部２２よりも先に第１壁部２０を第２嵌合部１８のガイドとして用いることができる。したがって、第２壁部２２の変形を抑制できるとともに、上記接続作業の作業効率をよくすることができる。なお、第１壁部２０は二重壁構造に構成されているので、ガイドとして用いた場合でも変形し難い。
【００４５】
図４に示すように、第２嵌合部１８の上部が断面円弧状となるように湾曲して形成されているので、第２嵌合部１８の上部に押圧力が作用しても第２嵌合部１８は変形し難い。したがって、第１嵌合部１６と第２嵌合部１８とを嵌合させる際には、第２嵌合部１８の上部に作用する下方向の押圧力を第２嵌合部１８の全体に効率よく伝えることができ、嵌合作業の作業効率をよくすることができる。
【００４６】
図４に示すように、第１嵌合部１６の上部にテーパ部２６が設けられているので、第１嵌合部１６と第２嵌合部１８とを嵌合させる際には、テーパ部２６が第２嵌合部１８を案内するガイドとなる。したがって、第１嵌合部１６と第２嵌合部１８とを嵌合させ易い。
【００４７】
図４に示すように、固定具３２を用いて固定部３４を固定対象物３０に固定する際には、２つの突条３６ａ，３６ｂを固定具３２のガイドとして用いることができるので、固定具３２が暴れることを抑制でき、固定具３２を固定部３４に位置決めし易い。また、２つの突条３６ａ，３６ｂによって繋ぎ部２４が補強されているので、繋ぎ部２４の変形を抑制でき、上記接続作業の作業効率をよくすることができる。
【００４８】
図１に示すように、第１嵌合部１６の第１壁部２０と第２嵌合部１８との隙間の幅が狭い場合には、毛細管現象によって当該隙間に水が浸入するおそれがあるが、第１壁部２０の上部と第２嵌合部１８との間に遮水空間Ｓ１が設けられているので、この遮水空間Ｓ１で水の浸入を遮断することができる。したがって、第１壁部２０、第２壁部２２および繋ぎ部２４で囲まれた内部空間Ｓ２への水の浸入を抑制することができる。
【００４９】
図１に示すように、第１嵌合部１６の外側の側端縁１６ａは、第２嵌合部１８の内部空間Ｓ２に配置されており、第２嵌合部１８の外側の側端縁１８ａは、第１嵌合部１６の外側において第１壁部２０の基部に沿って配置されている。また、第１嵌合部１６の固定部３４は、第１嵌合部１６の幅方向中央部に設けられている。そのため、第１嵌合部１６と第２嵌合部１８とが嵌合した状態において、第２嵌合部１８は第１屋根材１２ａの第１屋根板部１４ａに重ならず、第１嵌合部１６（固定部３４を含む）は第２屋根材１２ｂの第２屋根板部１４ｂに重ならない。したがって、第１屋根板部１４ａおよび第２屋根板部１４ｂの少なくとも一方に重なる部分が存在する場合に比べて、材料コストを低減できるとともに、第１屋根材１２ａおよび第２屋根材１２ｂの重量を軽くすることができる。
【００５０】
（変形例）
なお、本考案の実施にあたっては、上記実施形態に限定されず、本考案の目的を逸脱しない限りにおいて種々の変更が可能である。例えば、上記実施形態では、第１屋根材１２ａおよび第２屋根材１２ｂの材料として金属板が用いられているが、金属板に代えてプラスチック板等が用いられてもよい。また、上記実施形態では、第１壁部２０が二重壁構造に構成されているが、プラスチック板等のような多様な形状加工が可能な材料が用いられる場合には、第１壁部２０が一重壁構造に構成されてもよい。
【００５１】
上記実施形態では、第１壁部２０の上下方向長さが第２壁部２２の上下方向長さよりも長くされているが、これらの長さは適宜変更されてもよい。例えば、これらの長さが同じにされてもよいし、第１壁部２０の上下方向長さが第２壁部２２の上下方向長さよりも短くされてもよい。また、第２嵌合部１８の上部の形状は、断面円弧状に限定されるものではなく、例えば、平板状に形成されてもよいし、断面三角形状に形成されてもよい。
【００５２】
上記実施形態では、固定対象物３０として垂木３０ａおよび野地板３０ｂが用いられているが、垂木３０ａおよび野地板３０ｂのいずれか一方だけが固定対象物３０として用いられてもよい。また、上記実施形態では、固定具３２としてビスが用いられているが、ビスに代えて釘が用いられてもよい。
【００５３】
第１嵌合部１６の構成は、上記実施形態に限定されるものではなく、図５に示すように、適宜変更されてもよい。図５は、他の実施形態に係る屋根材の接続構造４０における第１嵌合部４２の構成を示す拡大正面図である。
【００５４】
図５に示す屋根材の接続構造４０では、第１嵌合部４２の第２壁部４４が繋ぎ部２４の幅方向側縁から上方に延びる第１板部４４ａと、第１板部４４ａの上端部から第１板部４４ａの外側を下方に延びる第２板部４４ｂとを有している。そして、第２板部４４ｂの下部がそれよりも上方の部分に対して第１板部４４ａに近づく方向（内側）へ折り曲げられることによって段部２８ｂが形成されている。したがって、第２嵌合部１８の段部３８ｂ（図２（Ｂ））から第１嵌合部４２の段部２８ｂに上方向の力が作用した場合でも、段部２８ｂの外側の部分は上方に向けて変形され難く、第２嵌合部１８は第１嵌合部１６から離脱され難い。
【符号の説明】
【００５５】
Ｓ１…遮水空間、Ｓ２…内部空間、１０…屋根材の接続構造、１２…屋根材、
１２ａ…第１屋根材、１２ｂ…第２屋根材、１４ａ…第１屋根板部、
１４ｂ…第２屋根板部、１６…第１嵌合部、１８…第２嵌合部、
１６ａ，１８ａ…側端縁、２０…第１壁部、２０ａ…第１板部、２０ｂ…第２板部、
２２…第２壁部、２４…繋ぎ部、２６…テーパ部、２８ａ，２８ｂ…段部、
３０…固定対象物、３０ａ…垂木、３０ｂ…野地板、３２…固定具、３２ａ…軸部、
３２ｂ…頭部、３４…固定部、３６ａ，３６ｂ…突条、３８ａ，３８ｂ…段部。
【図１】
0003226712.tif 000003
【図２】
0003226712.tif 000004
【図３】
0003226712.tif 000005
【図４】
0003226712.tif 000006
【図５】
0003226712.tif 000007